(57)【要約】【課題】天敵誘引システム及び同システムの設置方法において、天敵昆虫類及び土着天敵類を効率良く誘引・定着させ、圃場内の天敵密度を高め、害虫の防除性能を飛躍的に向上させ、それら天敵昆虫類により、害虫を減らして、作物収穫を向上させる。【解決手段】天敵昆虫類を誘引・定着させるために天敵昆虫類の寄主昆虫又は捕食される昆虫の発する特定音を発生する音波発生装置１を圃場Ｌに作物Ｐの上部に配置した。さらに、匂い発生装置や視覚誘引装置を備えてもよい。【選択図】図３
2006025673.tif 000002
【特許請求の範囲】
【請求項１】
天敵昆虫類を誘引・定着させるために圃場に配備され当該天敵昆虫類の寄主昆虫又は捕食される昆虫の発する特定音を発生する音波発生手段を備えたことを特徴とする天敵昆虫類誘引システム。
【請求項２】
特定音は、採餌音であることを特徴とする請求項１記載の天敵昆虫類誘引システム。
【請求項３】
特定音は、飛翔音であることを特徴とする請求項１記載の天敵昆虫類誘引システム。
【請求項４】
特定音を断続的に発生させることを特徴とする請求項１記載の天敵昆虫類誘引システム。
【請求項５】
青葉アルコール、青葉アルデヒド、ショ糖のうちの少なくとも１種以上を濃度可変に発生する匂い発生装置を備えたことを特徴とする請求項１記載の天敵昆虫類誘引システム。
【請求項６】
匂いの濃度と音波の周期を同期させたことを特徴とする請求項５記載の天敵昆虫類誘引システム。
【請求項７】
視覚誘引装置を備えたことを特徴とする請求項１記載の天敵昆虫類誘引システム。
【請求項８】
請求項１乃至請求項７のいずれかに記載のシステムを、作物の上方略１ｍ以内に設置することを特徴とする天敵昆虫類誘引システムの設置方法。
【発明の詳細な説明】
【技術分野】
【０００１】
本発明は、圃場での害虫を防除するための天敵昆虫類誘引システム及び同システムの設置方法に関する。
【背景技術】
【０００２】
従来、害虫を防除するため、天敵昆虫類を購入して圃場に放す、又は土着天敵が圃場内に偶然入るのを待つようにしていた。さらには、天敵昆虫類を誘引するだけでなく、捕食される昆虫をも誘引する剤が提案されている（例えば、特許文献１参照）。
【特許文献１】特開平７−２０６６０６号公報
【発明の開示】
【発明が解決しようとする課題】
【０００３】
しかしながら、上述したような天敵昆虫は高価でかつ圃場に放しても、直ぐに圃場外に出て行ってしまう。土着天敵は通常の状態では、発生数が不規則であり、防除に必要な絶対数を確保することが難しく、防除方法としては効果が少ない。
そこで、害虫に寄生又は捕食する天敵昆虫類を効率良く誘引・定着させて、圃場内の天敵の密度を高め、害虫の防除性能を向上することが望まれていた。
【０００４】
本発明は、上記要請に応えるものであり、天敵昆虫類及び土着天敵類を効率良く誘引・定着させ、圃場内の天敵密度を高め、害虫の防除性能を飛躍的に向上させ、それら天敵昆虫類により、害虫を減らして、作物収穫を向上させることが可能な天敵誘引システム及び同システムの設置方法を提供することを目的とする。
【課題を解決するための手段】
【０００５】
上記課題を解消するために本発明は、天敵昆虫類を誘引・定着させるために圃場に配備され当該天敵昆虫類の寄主昆虫又は捕食される昆虫の発する特定音を発生する音波発生手段を備えたことを特徴とする天敵昆虫類誘引システムである。
上記において、特定音は、採餌音としてもよい。
上記において、特定音は、飛翔音としてもよい。
上記において、特定音を断続的に発生させるものとすればよい。
上記において、青葉アルコール、青葉アルデヒド、ショ糖のうちの少なくとも１種以上を濃度可変に発生する匂い発生装置をさらに備えたものとしてもよい。
上記において、匂いの濃度と音波の周期を同期させたものとすればよい。
上記において、視覚誘引装置をさらに備えたものとしてもよい。
また、本発明は、上記のいずれかのシステムを、作物の上方略１ｍ以内に設置する天敵昆虫類誘引システムの設置方法である。
【発明の効果】
【０００６】
本発明によれば、天敵昆虫類を誘引・定着させる特定音を発生するようにしたので、圃場外の天敵昆虫類も効率良く誘引し、天敵昆虫類密度が多くなり、害虫を防除し、作物の被害率が大幅に低減される。また、匂い発生装置や視覚誘引装置をさらに備えることで、上記効果がより一層高まる。
【発明を実施するための最良の形態】
【０００７】
以下、本発明の一実施形態に係る天敵昆虫類誘引システム及び同システムの設置方法について図面を参照して説明する。図１は、天敵昆虫類誘引システムに用いられる音波発生装置の構成を示す。この音波発生装置１は、寄主昆虫及び捕食される昆虫の発する特定音及び／又は類似音が再生できる音響システムであり、電源２と、アンプ３と、スピーカ４とから成る。スピーカ４には、広い周波数域を単体で再現できるシリコン結晶素子を用いたものを採用した。音波発生装置１を圃場内又は圃場周辺の作物の上部略１ｍ以内に１台以上、設置する。これにより、天敵昆虫類に寄主昆虫及び捕食用昆虫が圃場内にいると思わせる天敵昆虫類誘引システムを構成している。
【０００８】
次に、天敵昆虫類誘引・定着のための特定音の周波数特性について説明する。ここでいう特定音とは、昆虫の羽音（飛翔音）、食害音及び歩行音、等に類似する音波である。天敵昆虫類とは、寄生蜂、捕食性ダニ、捕食性カメムシ、捕食性テントウムシ類、捕食性アザミウマ、蜘蛛類、等をいう。下記、表１にこれら天敵昆虫類の寄主昆虫及び捕食用昆虫の発する特定音及び周波数を示す。
【表１】
2006025673.tif 000003
【０００９】
次に、天敵昆虫類誘引・定着のための特定音の発振方法について説明する。表１に示したような特定音を連続的に発生させても構わないが、望ましくは、図２に示すように、特定音を断続的に発生させ、または、不規則に特定音の発振を停止させ、慣れを防止する。また、発振時間は、羽音の場合、５〜６０秒間、食害音は１０〜３０秒間隔で断続的に発振させることが望ましい。発振音波の音圧は、１〜５０ｄＢで、音圧を可変発振することが望ましい。発振音波の周波数は、各種天敵昆虫類の誘引・定着のための特定音（害虫の飛翔音、食害音、歩行音、等）である２Ｈｚ〜２５ＫＨｚが望ましい。上記音波発生装置１を圃場内又は圃場周辺の作物の上部１ｍ以内に１台以上、設置することで天敵昆虫類誘引システムを構成している。
【００１０】
（実施例１）
図３は天敵昆虫類誘引システムの一実施例を示す。音波発生装置１は、圃場Ｌ内又は圃場周辺の作物Ｐの上部１ｍ以内に１台以上、設置することが望ましい。ここでは、圃場の中心、作物Ｐの上部より１０ｃｍ上の高さに２台設置した。発振音波の周波数は、１３Ｈｚ〜６ＫＨｚを周期的に変化させ、音圧も１〜５０ｄＢで変化させて発振させた。発生間隔は１０秒とした。
【００１１】
本実施例１のシステムを動作させて１ヶ月後の天敵昆虫類数、作物被害率を調査した。その結果を表２に示す。この結果から分かるように、圃場外の天敵昆虫類も効率良く誘引し、天敵昆虫類密度が多くなり、害虫を防除し、作物の被害率が大幅に低減された。
【表２】
2006025673.tif 000004
【００１２】
（実施例２）
図４は天敵昆虫類誘引システムの変形実施例を示す。音波発生装置１は、圃場Ｌ内又は圃場周辺の作物Ｐの上部１ｍ以内に１台以上、設置することが望ましい。また、圃場の端の作物Ｐの上部より３０ｃｍ下に２台、圃場の中心に作物Ｐの上部より２０ｃｍの高さに１台の計３台を設置した。発振音波の周波数は１３Ｈｚ〜６ＫＨｚを周期的に変化させ、音圧も１〜５０ｄＢで変化させて発振させた。
【００１３】
これにより、圃場外の天敵昆虫類も効率良く誘引し、天敵昆虫類密度が多くなり、害虫を防除し、作物の被害率が大幅に低減された。
【００１４】
（実施例３）
図５は、天敵昆虫類誘引システムのさらに別の実施例を示す。このシステムは、音波発生装置１と匂い発生装置５とを備えている。音波発生装置１は、寄主昆虫又は捕食される昆虫の発する特定音及び／又は類似音を再生できる音響システムである。匂い発生装置５は、害虫の食害時に発生する匂いと類似する青葉アルコール、青葉アルデヒド、作物が独自に放つショ糖の匂いの少なくとも１種以上を発生できる素子を１つの装置内又は異なる装置に持つ。これら各装置を圃場内へ同時に設置することで、天敵昆虫類を誘引・定着させるシステムを構成している。
【００１５】
匂い発生装置５は、電気又は温度をかけて、匂い成分を蒸散、霧状化でき、濃度を可変できるものが望ましい。ここでは、電熱により、液体を蒸散させ、匂いを発生することができる装置を用いた。匂いの濃度は、圃場内において５〜１００ｐｐｍになることが望ましい。上記各装置を圃場Ｌ内又は圃場周辺の作物Ｐの上部１ｍ以内に１台以上設置することで、寄主昆虫及び捕食される昆虫が圃場内にいると思わせる天敵昆虫類誘引システムを構成している。
【００１６】
本実施例３のシステムによる天敵昆虫類誘引・定着のための特定音と匂いの発生方法については、図６に示すように、特定音と匂いの濃度の発生周期を同期させることが望ましい。上記により、害虫の食害時に発する状況を再現することが可能となる。
【００１７】
本実施例３のシステムについて、より具体的に説明すると、圃場の中心、作物上部より１０ｃｍの高さに匂い・音波複合発生装置を１台、匂い発生装置５と音波発生装置１をそれぞれ単独に各１台、作物の茂み内部に設置した。発振音波の周波数は２Ｈｚ〜２００Ｈｚを周期的に変化させ、音圧も１〜５０ｄＢで変化させて発振させた。匂い誘引源には、青葉アルコールを用いた。音波及び匂い発生間隔は１０秒とした。
【００１８】
本実施例３のシステムによる、試験開始１ヶ月後の天敵昆虫類数、作物被害率を調査した。その結果、表３に示すように、天敵昆虫類が多くなり、害虫を防除し、作物の被害率が大幅に低減された。
【表３】
2006025673.tif 000005
【００１９】
（実施例４）
図７は、天敵昆虫類誘引システムのさらに別の実施例を示す。このシステムは、上記システムにさらに視覚誘引装置６を備えて、音波・匂い・視覚誘引機能を持つものとしている。視覚誘引装置６は、１つの装置内に有するものとしても、異なる装置としてもよく、圃場内へ同時に設置し、天敵昆虫類を誘引・定着させる。
【００２０】
視覚誘引装置６は、ＵＶ・可視光ランプ７と、色誘引反射板８又はＵＶ反射誘引板を備える。上記音波・匂い・視覚誘引の各装置を圃場Ｌ内又は圃場周辺の作物Ｐの上部１ｍ以内に１台以上、設置することで、天敵昆虫類誘引システムを構成している。
【００２１】
本実施例４のシステムでは、上記音波・匂い・視覚誘引の各装置を、圃場の端に、作物Ｐの上部より１０ｃｍの高さで、圃場中心に向って、装置を１台、設置した。発振音波の周波数は１３Ｈｚ〜６ＫＨｚを周期的に変化させ、音圧も１〜５０ｄＢで変化させて発振させた。匂い誘引源には、青葉アルコールを用いた。音波及び匂い発生間隔は１０秒とした。視覚誘引には、ＵＶ・可視光ランプと黄色反射板を用いた。
【００２２】
本実施例４のシステムによる、試験開始１ヶ月後の天敵昆虫類数、作物被害率を調査した。その結果、表４に示すように、天敵昆虫類が多くなり、害虫を防除し、作物の被害率が大幅に低減された。
【表４】
2006025673.tif 000006
【００２３】
本発明は、上記各実施例の構成に限られず、種々の変形が可能で、例えば、上記音波・匂い・視覚誘引の各種装置を適宜に組み合わせたものとしてもよい。
【図面の簡単な説明】
【００２４】
【図１】本発明の天敵昆虫類誘引システムに用いられる音波発生装置の実施例を示す構成図。
【図２】上記音波発生装置による特定音の発振方法を示す図。
【図３】本発明の天敵昆虫類誘引システムの一実施例を示す図。
【図４】本発明の天敵昆虫類誘引システムの変形実施例を示す図。
【図５】本発明の天敵昆虫類誘引システムの別の実施例を示す図。
【図６】天敵昆虫類誘引・定着のための特定音と匂いの発生方法を示す図。
【図７】本発明の天敵昆虫類誘引システムのさらに別の実施例を示す図。
【符号の説明】
【００２５】
１  音波発生装置（音波発生手段）
５  匂い発生装置
６  視覚誘引装置
Ｐ  作物
Ｌ  圃場
【図１】
2006025673.tif 000007
【図２】
2006025673.tif 000008
【図３】
2006025673.tif 000009
【図４】
2006025673.tif 000010
【図５】
2006025673.tif 000011
【図６】
2006025673.tif 000012
【図７】
2006025673.tif 000013